(57)【要約】【課題】ルームランプへの電力供給が電力供給用ワイヤ付ランプホルダで行われている自動車に簡単に取付けることができ、電力供給用ワイヤ付ランプホルダから電力の供給を受けることができる、電気機器装置を提供する。【解決手段】電力供給用ワイヤ３２付のランプホルダ３０によりルームランプへの電力の供給がなされる自動車の室内で使用する車載用ＤＶＤ装置１０は、ランプホルダ３２に設けられたランプ装着用のランプソケット３４に接続して電力の供給を受けることが可能な電源プラグ１２と、電源プラグ１２から伸びる電源供給線１４と、電源供給線１４から電力を供給される電気機器１２と、ルームランプ装置本体４２のランプカバー取付孔４４に取付可能な装置係合突起１８を備えている。【選択図】図５
2009149227.tif 000002
【特許請求の範囲】
【請求項１】
電力供給用ワイヤ付のランプホルダにより自動車の室内で使用されるルームランプへの電力が供給されるようになっており、
該ルームランプは、室内に投光するランプを配置したルームランプ本体と、該ルームランプ本体に設けられたランプカバー取付孔に着脱可能とされる取付部を有し該取付部により前記ルームランプ本体に取付けられるランプカバーと、前記ルームランプ本体に取付けられた前記ランプホルダに対し、該ランプホルダに設けられたランプ装着用のランプソケットを介して装着されたランプと、から構成されてなり、
当該構成からなるルームランプから、前記ランプカバーとランプを取外して、当該箇所に電気機器を後付けする電気機器装置であって、
前記ランプホルダに設けられたランプ装着用のランプソケットに接続して電力の供給を受けることができる電源プラグと、該電源プラグから延びる電源供給線と、該電源供給線から電力を供給される電気機器と、該電気機器と一体的に設けられルームランプ本体のランプカバー取付部に取付可能な装置側取付部を備えることを特徴とする電気機器装置。
【請求項２】
請求項１に記載の電気機器装置であって、
前記電気機器に併設してランプ装着部を備えることを特徴とする電気機器装置。
【発明の詳細な説明】
【技術分野】
【０００１】
この発明は電気機器装置に関する。具体的には、自動車の室内で使用される電気機器装置であって、ルームランプと取り代えて使用される電気機器装置に関する。
【背景技術】
【０００２】
自動車には使用者のニーズによって空気洗浄機や主として自動車後部座席乗車員用としてＤＶＤプレーヤー等のディスプレイ装置が後付けされることがある。これらの装置の設置位置としては、その機能上、自動車室内の天井中央部が望ましいが、バッテリからの電力供給を受けるための配線が必要であるという煩わしさがある。また、自動車室内の天井中央部には、やはりその位置が最適とされるルームランプが既に取付けられている。
そこで、ルームランプを取外して、ルームランプ用の電源コネクタから電力の供給を受けられる方式のＤＶＤプレーヤーや空気清浄機が提案されている。
【０００３】
実開昭６１−１３８６１１号公報（特許文献１）には、自動車天井内部に設けられるルームランプを外して、ルームランプ取付部に取付補助板を固定し、この取付補助板に空気清浄機を結合させ、空気清浄機の配線カプラに自動車の電気配線を結合させた、自動車用空気清浄機の取付装置が記載されている。
【特許文献１】実開昭６１−１３８６１１号公報
【発明の開示】
【発明が解決しようとする課題】
【０００４】
ここで、ＤＶＤプレーヤーや空気清浄機を取付けようとする自動車が、図６に示すようなルーフライニング６０に取付けられたルームランプ５０に電源コネクタ５２によって電力を供給する方式であれば、電源コネクタ５２から電力の供給を受ける方式のＤＶＤプレーヤーや空気清浄機をルームランプ５０と取り代えることで、容易にこれらに電力の供給が可能である。
しかし、ＤＶＤプレーヤーや空気清浄機を取付けようとする自動車のルームランプへの電力供給方式が、図７に示すような電源供給ワイヤ５４付ランプホルダ５６による場合には、電源コネクタ５２に対応したＤＶＤプレーヤーや空気清浄をルームランプ５０と取り代えても、ランプ５８が装着されているランプソケット５９から、これらの装置へは電力供給が容易にはできない。
【０００５】
そこで、本発明が解決しようとする課題は、電力供給用ワイヤ付ランプホルダによりルームランプへの電力供給が行われている自動車に簡単に取付けることができ、電力供給用ワイヤ付ランプホルダから電力の供給を受けることができる、電気機器装置を提供することである。
【課題を解決するための手段】
【０００６】
上記課題を解決するため、本発明は次の手段をとる。
まず、本発明の第１の発明は、電力供給用ワイヤ付のランプホルダにより自動車の室内で使用されるルームランプへの電力が供給されるようになっており、
該ルームランプは、室内に投光するランプを配置したルームランプ本体と、該ルームランプ本体に設けられたランプカバー取付孔に着脱可能とされる取付部を有し該取付部により前記ルームランプ本体に取付けられるランプカバーと、前記ルームランプ本体に取付けられた前記ランプホルダに対し、該ランプホルダに設けられたランプ装着用のランプソケットを介して装着されたランプと、から構成されてなり、
当該構成からなるルームランプから、前記ランプカバーとランプを取外して、当該箇所に電気機器を後付けする電気機器装置であって、
前記ランプホルダに設けられたランプ装着用のランプソケットに接続して電力の供給を受けることができる電源プラグと、該電源プラグから延びる電源供給線と、該電源供給線から電力を供給される電気機器と、該電気機器と一体的に設けられルームランプ本体のランプカバー取付部に取付可能な装置側取付部を備えることを特徴とする。
この第１の発明によれば、電源供給用ワイヤ付ランプホルダのランプ装着用のランプソケットからランプを外し、このランプソケットに電気機器装置の電源プラグを接続することで、電気機器装置は電力供給用ワイヤ付ランプホルダから電力の供給を受けることができる。また、電気機器装置はルームランプ本体のランプカバー取付部に取付可能な装置側取付部を備えているので、ルームランプ本体のランプカバーを取外して、その取付部に電気機器装置を取付けることができる。
【０００７】
次に本発明の第２の発明は、上記第１の発明に係る電気機器装置であって、前記電気機器に併設してランプ装着部を備えることを特徴とする。
この第２の発明によれば、電気機器装置には電気機器と併設してランプを装着できるので、ルームランプと取り代えて装着した後は、電気機器装置はルームランプとしての機能も併せて発揮することができる。また、ランプ装着部をルームランプに使用されていたランプが装着できる方式とすれば、取外したランプを有効利用することができる。
【発明の効果】
【０００８】
上記本発明の各発明によれば、次の効果が得られる。
まず、上述の第１の発明によれば、電気機器装置は電源供給用ワイヤ付ランプホルダから電力の供給を受けることができるため、電気機器装置が備える電気機器を自動車内で使用することができる。また、この電気機器装置はルームランプの取付部に取付けることができるため、自動車への装着が簡単である。
次に上述の第２の発明によれば、電気機器装置はルームランプの機能も併せて発揮するのでルームランプを取外したことによる影響が生じない。また、取外したランプを電気機器装置に取付けて有効利用することもできる。
【発明を実施するための最良の形態】
【０００９】
以下、本発明を実施するための最良の形態について説明する。
図１に本発明の電気機器装置の一実施例である車載用ＤＶＤ装置１０（図示省略）が備える電源プラグ１２と電源プラグ１２から延びる電源供給線１４、及び自動車側に用意された電力供給用ワイヤ３２付ランプホルダ３０を示す。電源プラグ１２はランプホルダ３０のランプソケット３４に接続して電力の供給を受けることができる構造となっている。よって、このランプホルダ３０のランプソケット３４に装着されているランプ３６を取外して、ランプソケット３４に電源プラグ１２を装着することで、ランプホルダ３０から車載用ＤＶＤ装置１０への電力供給が可能となる。
【００１０】
以下、図２から図５により、車載用ＤＶＤ装置１０の取付作業手順を説明する。
図２は、車載用ＤＶＤ装置１０の取付作業開始前の状態を示しており、自動車のルームランプ取付位置には、標準で装備されたルームランプ４０が取付けられている。このルームランプ４０はルームランプ本体４２と透明なランプカバー４６とランプ３６から構成されている。ここで、ランプカバー４６とランプ３６を取外して、その代わりに車載用ＤＶＤ装置１０を取付ける。
図３は、ルームランプ４０からランプカバー４６とランプ３６を取外した状態を示す。ランプカバー４６は、ランプカバー側の取付部であるカバー係合突起４８がルームランプ４０のランプカバー取付部であるランプカバー取付孔４４に挿入されて取付けられている。このため、カバー係合突起４８をランプカバー取付孔４４から外すことにより、ランプカバー４６はルームランプ４０から取外される。ランプ３６はランプソケット３４から引き出して取外すことができる。
【００１１】
図４は、取外したランプカバー４６とランプ３６に代えて車載用ＤＶＤ装置１０を取付ける途中の状態を示す。ここで、車載用ＤＶＤ装置１０の電源プラグ１２をランプホルダ３０のランプソケット３４に装着して電源を確保すると共に、車載用ＤＶＤ装置１０の装置側取付部である装置係合突起１８をルームランプ本体４２のランプカバー取付孔４４に挿入して係合させ、車載用ＤＶＤ装置１０をルームランプ本体４２に固定する。
車載用ＤＶＤ装置１０は装置係合突起１８をランプカバー取付孔４４に係合させるのみでルームランプ本体４２に取付けられるため、ルームランプ本体４２への取付が簡単である。
図５に車載用ＤＶＤ装置１０の取付けが終了した状態を示す。車載用ＤＶＤ装置１０にはルームランプ４０から取外したランプ３６をそのまま取付けることができるランプ装着部２０が備えられている。したがって、ランプ３６の再利用が可能とされている。
【００１２】
車載用ＤＶＤ装置１０はルームランプとしての役割も果たすことができるので、ルームランプを取外したことによる影響は生じない。
【００１３】
実施例では電気機器装置が備える電気機器をＤＶＤ機器としたが、電気機器は空気清浄機であっても良い。
その他、本発明に係る電気機器装置は、本発明の思想の範囲で各種の形態とすることが可能である。
【図面の簡単な説明】
【００１４】
【図１】実施例における電力供給用ワイヤ付ランプホルダと車載用ＤＶＤ装置の電源プラグを示す図である。
【図２】標準のルームランプが装着されている状態を示す図である。
【図３】ルームランプからランプカバーとランプを取外した状態の図である。
【図４】実施例の電気機器装置を取付ける途中の状態を示す図である。
【図５】実施例の電気機器装置の取付が終了した状態を示す図である。
【図６】電源コネクタによって電力が供給されるルームランプを示す図である。
【図７】電源供給ワイヤ付ランプホルダよって電力が供給されるルームランプを示す図である。
【符号の説明】
【００１５】
１０   車載用ＤＶＤ装置（電気機器装置）
１２   電源プラグ
１４   電源供給線
１６   ＤＶＤ機器（電気機器）
１８   装置係合突起（装置側取付部）
２０   ランプ装着部
３０   ランプホルダ
３２   電力供給用ワイヤ
３４   ランプソケット
３６   ランプ
４０   ルームランプ
４２   ルームランプ本体
４４   ランプカバー取付孔（ランプカバー取付部）
４６   ランプカバー
４８   カバー係合突起（ランプカバー側取付部）
【図１】
2009149227.tif 000003
【図２】
2009149227.tif 000004
【図３】
2009149227.tif 000005
【図４】
2009149227.tif 000006
【図５】
2009149227.tif 000007
【図６】
2009149227.tif 000008
【図７】
2009149227.tif 000009